(57)【要約】【課題】暗証番号の入力によってユーザ本人を認証して解錠を行う電子錠装置及びロッカー装置において、暗証番号の入力操作に起因した暗証番号の第三者への漏洩を抑制し、且つユーザが入力すべき所望の数字を見つけ易くする。【解決手段】電子錠と、ユーザが操作する複数のキーを備える入力部と、各キーに１対１で割り当てられる数字を表示するディスプレイと、入力部から入力された暗証番号によりユーザ本人を認証する本人認証部と、本人認証部がユーザ本人を認証した場合に電子錠を解錠する解錠指示部と、ユーザが所定の入力操作を行う度に、ディスプレイに表示される数字の配置を変更する配置変更部３１とを備える。配置変更部３１は、少なくとも、数字の配置を変更する上で起点となるキーＫ１の位置を一定とする第１の規則と、起点に割り当てられる数字を順番に変化させる第２の規則とに従って、ディスプレイに表示される数字の配置を変更する。【選択図】図４
2010126913.tif 000002
【特許請求の範囲】
【請求項１】
暗証文字の入力によってユーザ本人を認証して解錠を行う電子錠装置であって、
電子的な操作により施錠及び解錠が行われる電子錠と、
ユーザが操作する複数のキーを備える入力部と、
各キーに１対１で割り当てられる文字を表示するディスプレイと、
前記入力部から入力された暗証文字によりユーザ本人を認証する本人認証部と、
前記本人認証部がユーザ本人を認証した場合に前記電子錠を解錠する解錠指示部と、
ユーザが所定の入力操作を行う度に、前記ディスプレイに表示される前記文字の配置を変更する配置変更部とを備え、
前記配置変更部は、少なくとも、文字の配置を変更する上で起点となるキーの位置を一定とする第１の規則と、前記起点に割り当てられる文字を順番に変化させる第２の規則とに従って、前記ディスプレイに表示される前記文字の配置を変更することを特徴とする電子錠装置。
【請求項２】
前記配置変更部は、更に、前記所定の入力操作の回数に応じて前記文字を配列する方向を選択する第３の規則に従って、前記ディスプレイに表示される前記文字の配置を変更することを特徴とする請求項１に記載の電子錠装置。
【請求項３】
前記ディスプレイに表示される文字には、複数の数字、入力された数字の消去を示す文字、及び前記電子錠の施錠を示す文字が含まれ、前記暗証文字は前記複数の数字から任意に選択された暗証番号であり、前記配置変更部は、数字の配置のみを変更する第４の規則に従って、前記ディスプレイに表示される前記文字の配置を変更することを特徴とする請求項１又は２に記載の電子錠装置。
【請求項４】
暗証文字の入力によってユーザ本人を認証して解錠を行うロッカー装置であって、
扉を有するボックスと、
前記扉に設けられた電子錠と、
ユーザが操作する複数のキーを備える入力部と、
各キーに１対１で割り当てられる文字を表示するディスプレイと、
前記入力部から入力された暗証文字によりユーザ本人を認証する本人認証部と、
前記本人認証部がユーザ本人を認証した場合に前記電子錠を解錠する解錠指示部と、
ユーザが所定の入力操作を行う度に、前記ディスプレイに表示される前記文字の配置を変更する配置変更部とを備え、
前記配置変更部は、少なくとも、文字の配置を変更する上で起点となるキーの位置を一定とする第１の規則と、前記起点に割り当てられる文字を順番に変化させる第２の規則とに従って、前記ディスプレイに表示される前記文字の配置を変更することを特徴とするロッカー装置。
【発明の詳細な説明】
【技術分野】
【０００１】
本発明は、暗証文字の入力によってユーザ本人を認証して解錠を行う電子錠装置及びロッカー装置に関する。
【背景技術】
【０００２】
従来から、スキー場、ゴルフ場やフィットネスクラブ、スポーツジム、プールなどのスポーツ施設において、ユーザの利用に供されるロッカーが知られている。この中でも、物理的な鍵を用いずに例えば暗証番号の入力によってユーザ本人を認証して電子的な操作により施錠及び解錠を行う電子錠装置を備えたものが普及している（特許文献１参照）。
【０００３】
しかし、従来の暗証番号の入力手段においては、入力される数字が番号順に配列され、且つ各キーの表面に直接印字されていた。したがって、暗証番号の入力に際して、入力操作者の周辺に居る第三者は、入力操作者の入力操作（指の動き等）を傍観するだけで、入力された暗証番号を推認することが可能な場合があった。
【０００４】
そこで、この暗証番号の入力操作に起因した暗証番号の第三者への漏洩を防止するために、暗証番号を入力するための入力部と、入力部における数字の配置を表示する表示部とを分離し、入力操作の度に、表示部に表示される数字の配置をランダムな配置を含む複数の配置パターンの間で任意に選択可能とすることで、暗証番号の入力操作時における数字の配置を分かりにくくして、暗証番号の推認を防止する提案が成されている（特許文献２〜５参照）。
【特許文献１】特開平１１−１４６８２９号公報
【特許文献２】特開昭６２−９８４６１号公報
【特許文献３】実開平５−７８８４８号公報
【特許文献４】特開平１０−１２１８０４号公報
【特許文献５】特開２００５−２５８８３８号公報
【発明の開示】
【発明が解決しようとする課題】
【０００５】
しかし、入力操作の度に数字の配置がランダムに変更してしまうと、暗証番号の入力操作を行うユーザにとっても数字の配置が分かりにくくなり、ランダムに配置された数字の中から所望の数字を探し出すのに時間がかかってしまう。特に、特許文献５の第２図及び第４図に開示されている複数のキー配列パターンにおいては、配列する方向のみならず、数字を配列する上で起点となるキーの位置も入力操作の度に変化してしまうので、複数のキー配列パターンに定められている規則性を発見することが容易ではなく、ユーザは所望の数字を探し出すのに時間がかかってしまう。
【０００６】
本発明は、上記課題に鑑みて成されたものであり、その目的は、暗証文字の入力操作に起因した暗証文字の第三者への漏洩を抑制し、且つユーザが入力すべき所望の文字を見つけ易い電子錠装置及びロッカー装置を提供することである。
【課題を解決するための手段】
【０００７】
本発明の第１の特徴は、暗証文字の入力によってユーザ本人を認証して解錠を行う電子錠装置であって、電子錠装置が、電子的な操作により施錠及び解錠が行われる電子錠と、ユーザが操作する複数のキーを備える入力部と、各キーに１対１で割り当てられる文字を表示するディスプレイと、入力部から入力された暗証文字によりユーザ本人を認証する本人認証部と、本人認証部がユーザ本人を認証した場合に電子錠を解錠する解錠指示部と、ユーザが所定の入力操作を行う度に、ディスプレイに表示される文字の配置を変更する配置変更部とを備え、配置変更部が、少なくとも、文字の配置を変更する上で起点となるキーの位置を一定とする第１の規則と、起点に割り当てられる文字を順番に変化させる第２の規則とに従って、ディスプレイに表示される文字の配置を変更することである。
【０００８】
本発明の第１の特徴によれば、配置変更部は文字の配置を変更する上で起点となるキーの位置を一定とすることにより、文字の配置を変更する上で定められている規則性を発見し易くなる。そして、配置変更部は起点に割り当てられる文字を順番に変化させることにより、ユーザによる暗証番号の入力操作時における文字の配置を他人が予測し難くなる。よって、本発明の第１の特徴に関わる電子錠装置によれば、暗証文字の入力操作に起因した暗証文字の第三者への漏洩を抑制し、且つユーザが入力すべき所望の文字を見つけ出し易くすることができる。
【０００９】
本発明の第２の特徴は、暗証文字の入力によってユーザ本人を認証して解錠を行うロッカー装置であって、ロッカー装置が、扉を有するボックスと、扉に設けられた電子錠と、ユーザが操作する複数のキーを備える入力部と、各キーに１対１で割り当てられる文字を表示するディスプレイと、入力部から入力された暗証文字によりユーザ本人を認証する本人認証部と、本人認証部がユーザ本人を認証した場合に電子錠を解錠する解錠指示部と、ユーザが所定の入力操作を行う度に、ディスプレイに表示される文字の配置を変更する配置変更部とを備え、配置変更部が、少なくとも、文字の配置を変更する上で起点となるキーの位置を一定とする第１の規則と、起点に割り当てられる文字を順番に変化させる第２の規則とに従って、ディスプレイに表示される文字の配置を変更することである。
【発明の効果】
【００１０】
以上説明したように、本発明の電子錠装置及びロッカー装置によれば、暗証文字の入力操作に起因した暗証文字の第三者への漏洩を抑制し、且つユーザが入力すべき所望の文字を見つけ出し易くすることができる。
【発明を実施するための最良の形態】
【００１１】
以下図面を参照して、本発明の実施の形態を説明する。図面の記載において同一部分には同一符号を付している。
【００１２】
先ず図１を参照して、本発明の実施の形態に係わるロッカー装置を有するロッカーシステムの構成を説明する。ロッカーシステムは、ユーザが荷物を預け入れたり、取り出したりすることができる複数のロッカー装置ＬＵ１、ＬＵ２、ＬＵ３、・・・と、ロッカー装置ＬＵ１、ＬＵ２、ＬＵ３、・・・を利用する際に必要となるロッカー利用券を発券する発券機１２と、複数のロッカー装置ＬＵ１、ＬＵ２、ＬＵ３、・・・及び発券機１２を制御する制御ＰＣ１１とを備える。なお、本発明の実施の形態では、プールやスキー場など、１日などの単位で何度も荷物を預け入れ及び取り出しができるロッカーシステムを例にとり説明する。
【００１３】
ロッカー装置ＬＵ１、ＬＵ２、ＬＵ３、・・・は、扉を有するボックスと、扉の施錠に用いられる電子錠装置とをそれぞれ備え、ユーザは扉を開けてボックス内に荷物を収納して、電子錠装置の操作により扉を施錠することで、荷物を保管することができる。各ロッカー装置ＬＵ１、ＬＵ２、ＬＵ３、・・・の扉には、暗証番号などの入力に用いるタッチパネル１５と、扉を開く際に手を掛ける取手１６と、マスターキーを挿入するキー挿入口１７と、ロッカー装置ＬＵ１、ＬＵ２、ＬＵ３、・・・を識別するためのロッカー番号が印字されたロッカー番号プレート１８とが設けられている。
【００１４】
図２を参照して、図１のロッカー装置ＬＵ７の詳細な構成を説明する。なお、ロッカー装置ＬＵ７を例に取り説明するが、その他のロッカー装置ＬＵ１、ＬＵ２、ＬＵ３、・・・もロッカー装置ＬＵ７と同様な構成を有する。
【００１５】
ロッカー装置ＬＵ７は、扉の施錠に用いられる電子錠装置３と、制御ＰＣ１１との間で通信を行うための通信部２１とを備える。電子錠装置３は、ユーザによる暗証番号などの入力に用いられるタッチパネル１５と、扉の開閉を制限し且つ扉の開閉を検出する錠ユニット２４と、タッチパネル１５及び錠ユニット２４を制御する制御部２２と、ユーザにより入力された暗証番号などを記憶する記憶部２３とを備える。
【００１６】
錠ユニット２４は、電子的な操作により施錠及び解錠が行われる電子錠２８と、扉の開閉を検知する開閉検知部２９とを備える。タッチパネル１５は、ユーザが操作する複数のキーを備える入力部２６と、各キーに１対１で割り当てられる数字を表示するディスプレイ２７とを備える。記憶部２３は、発券機１２が発券したロッカー利用券に記載された解錠番号を記憶する解錠番号記憶部３８と、入力部２６から入力された数字列を暗証番号として記憶する暗証番号記憶部３９とを備える。
【００１７】
制御部２２は、マイコンやＣＰＵなどの演算処理機能を備える部材により構成され、入力部２６から入力された暗証番号によりユーザ本人を認証する本人認証部３４と、電子錠２８に対して施錠及び解錠を指令する施解錠指令部３３（解錠指示部）と、ディスプレイ２７に表示される数字の配置を変更する配置変更部３１と、ディスプレイ２７に表示される数字と入力部２６のキーとの対応を解読する解読部３２と、開閉検知部２９が扉の開を検知した場合に扉の開を検知する前にディスプレイ２７に表示されていた数字の配置を消去する表示消去部３５とを備える。
【００１８】
図３（ａ）に示すように、図２のタッチパネル１５は、例えばＬＥＤ又は液晶で構成されるディスプレイ２７と、ディスプレイ２７の表示面に重ね合わされる透明スイッチパネルからなる入力部２６とを備える。ディスプレイ２７には、０〜９の数字、Ｃ及びＬのアルファベット、及び入力された数字列が表示される。入力部２６には、マトリックス状に配置された複数のキーＫ１〜Ｋ１２が形成され、各キーＫ１〜Ｋ１２はパネル面の押下げ操作を検知する機能をそれぞれ備える。「Ｃ」は入力された数字を消去する「入力値消去ボタン」を示す文字であり、「Ｌ」は電子錠２８の施錠を指令する「施錠ボタン」を示す文字である。
【００１９】
図３（ｂ）に示すように、ディスプレイ２７に表示される０〜９の数字及びＣ及びＬのアルファベットは、入力部２６の各キーＫ１〜Ｋ１２に１対１で対応している。図２の解読部３２は、押下げ操作を検知したキーＫ１〜Ｋ１２に対応するディスプレイ２７の数字又は文字を解読する。例えば、図３（ａ）のキーＫ１が押下げ操作された場合、解読部３２は、ディスプレイ２７の数字「１」が入力されたと判断する。続けて、キーＫ５、キーＫ９、キーＫ２、キーＫ６が押下げ操作された場合、解読部３２は、ディスプレイ２７の数字「２」、「３」、「４」、「５」が入力されたと判断する。そして、ディスプレイ２７の上部に、入力された数字列「１２３４５」が表示される。
【００２０】
図４（ａ）〜図４（ｆ）を参照して、ディスプレイ２７に表示される数字の配置を変更する際に用いる規則について説明する。図２の配置変更部３１は、例えば以下に示す（１）〜（６）からなる規則に従って、ディスプレイ２７に表示される数字の配置を変更する。（１）〜（６）からなる規則に従って変更される数字の配置を「ランダム配列」と呼ぶ。
【００２１】
（１）入力部２６のうちの特定のキーを起点として、２以上の方向のいずれか１つの方向に０〜９の数字を順番に配列する。９の次には０を配列する。例えば図４（ａ）に示すように、入力部２６のうちの左上に配置されたキーＫ１を起点（※）として、右方向或いは下方向に０〜９の数字を順番に配列する。数字の配置を変更する上で起点となるキーの位置を一定とする規則は「第１の規則」に相当する。
【００２２】
（２）キーＫ１に割り当てられる数字は、ユーザが行う所定の入力操作毎に＋１ずつ加算していく。９の次に０を割り当てることで、０〜９の数字をキーＫ１に繰り返し割り当てることができる。所定の入力操作毎に、起点となるキーＫ１に割り当てられる数字を順番に変化させる規則は「第２の規則」に相当する。
【００２３】
（３）配列する方向は、所定の入力操作の回数に応じて変更する。例えば、奇数回の入力操作時には右方向に配列し、偶数回の入力操作時には下方向に配列する。所定の入力操作の回数に応じて数字を配列する方向を選択する規則は「第３の規則」に相当する。
【００２４】
（４）変更の対象となる文字は０〜９の数字であり、Ｃ及びＬのアルファベットの配置は変更しない。数字の配置のみを変更する規則は「第４の規則」に相当する。
【００２５】
（５）所定の入力操作の回数は電源リセット時にクリアする。
【００２６】
（６）初回操作時にキーＫ１に割り当てられる数字を、各ロッカー装置ＬＵ１、ＬＵ２、ＬＵ３、・・・のロッカー番号プレート１８に印字されたロッカー番号を構成する総ての数字を加算して得られる数の１の位の数字とする。
【００２７】
例えば、ロッカー番号２１０４のロッカー装置の一回目の入力操作において、配置変更部３１は、図４（ｂ）に示すように、キーＫ１に７を配置し、キーＫ１から右方向に８、９、０〜６の数字を順番に配列する。同じロッカー装置の二回目の入力操作において、配置変更部３１は、図４（ｃ）に示すように、キーＫ１に８を配置し、キーＫ１から下方向に９、０〜７の数字を順番に配列する。同様にして、配置変更部３１は、三回目の入力操作において、図４（ｄ）に示すように、キーＫ１に９を配置し、キーＫ１から右方向に０〜８の数字を順番に配列し、四回目の入力操作において、図４（ｅ）に示すように、キーＫ１に０を配置し、キーＫ１から下方向に１〜９の数字を順番に配列する。
【００２８】
このように、「ランダム配列」は、（１）〜（６）からなる規則に従って入力操作毎に変更される数字の配置であり、図３（ａ）及び図３（ｂ）に示したように従来から用いられている一般的な数字の配置（これを「通常配列」という）に比べて、規則性の低い数字の配置であると言える。
【００２９】
なお、配置変更部３１は、少なくともユーザが暗証番号を設定する時及び暗証番号の入力によりユーザ本人を認証する時に「ランダム配列」をディスプレイ２７に表示するが、図３（ａ）及び図３（ｂ）に示したような「通常配列」をディスプレイ２７に表示させる場合もある。
【００３０】
図４（ｆ）に示すように、配置変更部３１は、例えば、起点となるキーＫ１に割り当てられる数字を計数する起点数字カウンタ４１と、所定の入力操作の回数を計数する操作回数カウンタ４２と、起点数字カウンタ４１が計数する数字、操作回数カウンタ４２が計数する回数に基づいて、（１）〜（６）に示す規則に従ってディスプレイ２７に表示される数字の配置を生成するランダム生成部４３とを備える。
【００３１】
図５を参照して、発券機１２が発券するロッカー利用券に記載されている事項の一例を説明する。ロッカー利用券には、利用可能な日を示す利用日、利用可能なロッカー装置のロッカー番号、及びロッカー利用券を購入した者を認証するための解錠番号が記載されている。ロッカー利用券を購入した者は、そこに記載された日にちにおいて、記載されたロッカー番号のロッカー装置ＬＵ１、ＬＵ２、ＬＵ３、・・・を利用することができる。
【００３２】
なお、不正な利用を防止するため、利用を開始する際には、タッチパネル１５から解錠番号を入力して正当なロッカー利用券の購入者であることを認証することが必要である。そこで、発券機１２はロッカー利用券を発券する度に、ロッカー利用券に記載された情報を制御ＰＣ１１へ送信し、制御ＰＣ１１は、ロッカー利用券に記載されたロッカー番号により識別されるロッカー装置ＬＵ１、ＬＵ２、ＬＵ３、・・・に対してロッカー利用券に記載された解錠番号の情報を送信する。ロッカー装置ＬＵ１、ＬＵ２、ＬＵ３、・・・は、自己の解錠番号記憶部３８に解錠番号のデータを格納する。
【００３３】
図６（ａ）は、ユーザ本人を認証するための暗証番号の入力操作が可能なロッカー装置ＬＵ７の状態を示す。この状態において、ディスプレイ２７に「ランダム配列」が表示されたタッチパネル１５から、ユーザが既に設定済みの暗証番号を入力操作する。入力された暗証番号によりユーザ本人の認証に成功すると、電子錠２８が解錠されると同時に、タッチパネル１５に表示される数字の配置が、それまでの「ランダム配列」から「通常配列」へ変更される。
【００３４】
図６（ｂ）は、ユーザ本人の認証に成功し、電子錠２８の解錠後に扉５が開かれたロッカー装置ＬＵ７の状態を示す。電子錠２８が解錠され、ユーザが扉５を開いた場合、開閉検知部２９が扉５の開を検知して、扉５の開を検知する前にディスプレイ２７に表示されていた数字の配置を消去する。ディスプレイ２７がＬＥＤ又は液晶からなる場合、ＬＥＤ又は液晶を消灯する。
【００３５】
図７及び図８を参照して、図１に示したロッカー装置の制御方法の一例を説明する。図７及び図８は一連の処理手順を示す１つのフローチャートであるが、先ず、図７に示した部分について説明する。
【００３６】
（イ）Ｓ０１段階において、入力部２６のいずれかのキーに対して押し圧操作が成されるか否かを監視する。押し圧操作が成された場合（Ｓ０１でＹＥＳ）、Ｓ０３段階に進み、ディスプレイ２７を点灯して、配置変更部３１により生成された「ランダム配列」をディスプレイ２７に表示する。
【００３７】
（ロ）Ｓ０５段階に進み、暗証番号が暗証番号記憶部３９に設定されているか否かを判断する。暗証番号が設定されている場合（Ｓ０５でＮＯ）、図８のＳ３５段階に進み、暗証番号が設定されていない場合（Ｓ０５でＹＥＳ）、Ｓ０７段階に進む。
【００３８】
（ハ）Ｓ０７段階において、ユーザがタッチパネル１５を押下げ操作して解錠番号が入力されることを待つ。ユーザは、例えば、図５に示したロッカー利用券に記載された解錠番号と同じ数字列を順番に入力する。本人認証部３４は、入力された数字列と解錠番号記憶部３８に格納されている解錠番号とが一致するか否かを判断する。数字列と解錠番号とが一致する場合（Ｓ０９でＹＥＳ）、Ｓ１１段階に進み、数字列と解錠番号とが一致しない場合（Ｓ０９でＮＯ）、エラー音を発して、Ｓ０７段階に戻り、ユーザに対して再度、解錠番号の入力を促し、解錠番号が入力されることを再び待つ。
【００３９】
（ニ）Ｓ１１段階において、ブザー音を発すると共に、施解錠指令部３３は電子錠２８を解錠し、配置変更部３１は、Ｓ０３段階で表示されていた「ランダム配列」とは異なる他の「ランダム配列」へ数字の配置を変更してディスプレイ２７に表示する。具体的には、（１）〜（６）に示した規則に従って例えば図４（ｂ）〜図４（ｅ）に示す順序で、ディスプレイ２７に表示される数字の配置を変更する。
【００４０】
（ホ）Ｓ１３段階に進み、解錠してから所定の時間内に、開閉検知部２９が扉５の開を検知したか否かを判断する。開閉検知部２９が扉５の開を検知しないまま、所定時間が経過した場合（Ｓ１３でＮＯ及びＳ１５でＹＥＳ）、Ｓ１７段階に進み、電子錠２８を施錠してディスプレイ２７を消灯し、Ｓ０１段階に戻る。
【００４１】
（へ）一方、所定時間の間に開閉検知部２９が扉５の開を検知した場合（Ｓ１３でＹＥＳ）、Ｓ１９段階に進み、開閉検知部２９が、一旦開いた扉５の閉を検知することを待つ。ユーザは、Ｓ１３とＳ１９の間に、扉５を開けてボックス内に荷物を収納する。開閉検知部２９が扉５の閉を検知した場合（Ｓ１９でＹＥＳ）、Ｓ２１段階に進み、扉５が閉じてから所定の時間、ユーザによる暗証番号の入力を待つ。ユーザは、任意に選んだ４桁の数字列を暗証番号として入力することができる。ユーザにより４桁の数字列及び「施錠ボタン」が押下げ操作されないまま、所定時間が経過した場合（Ｓ２３でＮＯ及びＳ２９でＹＥＳ）、Ｓ３１段階に進み、施解錠指令部３３は電子錠２８を施錠してディスプレイ２７を消灯する。その後、Ｓ３３段階に進み、当該ロッカー装置の使用を中止して、本フローチャートは終了する。
【００４２】
（ト）一方、所定時間の間にユーザにより４桁の数字列及び「施錠ボタン」が押下げ操作された場合（Ｓ２３でＹＥＳ）、Ｓ２５段階に進み、入力された４桁の数字列を暗証番号として暗証番号記憶部３９に格納する。そして、Ｓ２７段階に進み、ブザー音を発すると共に、施解錠指令部３３は電子錠２８を施錠してディスプレイ２７を消灯する。その後、Ｓ０１段階に戻る。
【００４３】
次に、図８に示す部分について説明する。
【００４４】
（い）図７のＳ０５段階において暗証番号が暗証番号記憶部３９に設定されている場合（Ｓ０５でＮＯ）、図８のＳ３５段階に進み、ユーザがタッチパネル１５を押下げ操作して暗証番号が入力されることを待つ。ユーザには、Ｓ２３段階で入力した暗証番号と同じ数字列を再度入力することが求められる。Ｓ３７段階に進み、本人認証部３４は、入力された数字列がＳ２５段階で暗証番号記憶部３９に記憶した暗証番号と一致するか否かを判断する。
【００４５】
（ろ）入力された数字列が暗証番号記憶部３９に記憶された暗証番号と一致する場合（Ｓ３７でＹＥＳ）、暗証番号によるユーザ本人の認証に成功したことになり、Ｓ３９段階に進み、ブザー音を発すると共に、施解錠指令部３３（解錠指示部）は電子錠２８を解錠し、配置変更部３１は、暗証番号の入力時（Ｓ３５）にディスプレイ２７に表示されていた数字の配置よりも規則性の高い数字の配置へ変更する。具体的には、暗証番号の入力時（Ｓ３５）に表示されていた「ランダム配列」から「通常配列」へ変更する。一方、入力された数字列が暗証番号記憶部３９に記憶された暗証番号と相違する場合（Ｓ３７でＮＯ）、エラー音を発すると共に、Ｓ３５段階に戻り、再度、ユーザがタッチパネル１５を押下げ操作して暗証番号が入力されることを待つ。
【００４６】
（は）Ｓ４１段階に進み、解錠してから所定の時間内に、開閉検知部２９が扉５の開を検知したか否かを判断する。開閉検知部２９が扉５の開を検知しないまま、所定時間が経過した場合（Ｓ４１でＮＯ及びＳ４３でＹＥＳ）、Ｓ４５段階に進み、電子錠２８を施錠してディスプレイ２７を消灯し、Ｓ０１段階に戻る。
【００４７】
（に）一方、所定時間の間に開閉検知部２９が扉５の開を検知した場合（Ｓ４１でＹＥＳ）、Ｓ４７段階に進み、表示消去部３５は、ディスプレイ２７を消灯することにより、扉５の開を検知する前にディスプレイ２７に表示されていた数字の配置を消去する。Ｓ４９段階に進み、開閉検知部２９が一旦開いた扉５の閉を検知することを待つ。ユーザは、Ｓ４１とＳ４９の間に、扉５を開けてボックス内に預けた荷物を取り出す、或いは他の荷物を収納する。開閉検知部２９が扉５の閉を検知した場合（Ｓ４９でＹＥＳ）、Ｓ５１段階に進み、ディスプレイ２７を点灯して、「施錠ボタン」が押下げ操作されることを待つ。この際、「施錠ボタン」のみ入力可能とし、その他キーは検知不可状態となっている。
【００４８】
（ほ）Ｓ５３段階に進み、扉５の閉を検知してから所定の時間内に、ユーザにより「施錠ボタン」が押下げ操作されたか否かを判断する。ユーザにより「施錠ボタン」が押下げ操作されないまま、所定時間が経過した場合（Ｓ５３でＮＯ及びＳ５７でＹＥＳ）、Ｓ５９段階に進み、施解錠指令部３３は電子錠２８を施錠してディスプレイ２７を消灯する。その後、Ｓ０１段階に戻る。
【００４９】
（へ）一方、所定時間の間にユーザにより「施錠ボタン」が押下げ操作された場合（Ｓ５３でＹＥＳ）、Ｓ５５段階に進み、施解錠指令部３３は電子錠２８を施錠してディスプレイ２７を消灯する。その後、Ｓ０１段階に戻る。
【００５０】
次に、図９（ａ）〜図９（ｃ）を参照して、図７及び図８に示したフローチャートにおけるディスプレイ２７の表示画面の変化の一例を説明する。
【００５１】
図９（ａ）は図７のＳ０１〜Ｓ１１におけるディスプレイ２７の表示画面の一例を示す。消灯しているディスプレイ２７に対して、Ｓ０１段階で入力部２６のいずれかのキーに対して押し圧操作することにより、「ランダム配列」をディスプレイ２７に表示する（Ｓ０３段階）。この表示状態においてユーザはロッカー利用券に記載された解錠番号（例えば１２３４５）を入力する（Ｓ０７段階）。入力された解錠番号が正しければ（Ｓ０９でＹＥＳ）、電子錠２８を解錠すると共に、Ｓ０３段階で表示されていた「ランダム配列」とは異なる他の「ランダム配列」へ数字の配置を変更する（Ｓ１１段階）。具体的には、（１）〜（６）に示した規則に従って、ディスプレイ２７に表示される数字の配置を変更する。
【００５２】
図９（ｂ）は図７のＳ２１〜Ｓ２７におけるディスプレイ２７の表示画面の一例を示す。消灯しているディスプレイ２７に対して、入力部２６のいずれかのキーに対して押し圧操作することにより、「ランダム配列」をディスプレイ２７に表示して、ユーザによる暗証番号の入力を待つ（Ｓ２１段階）。ユーザにより４桁の数字列（例えば７９６４）が入力され、「施錠ボタン」が押下げ操作されると（Ｓ２３でＹＥＳ）、電子錠２８を施錠してディスプレイ２７を消灯する（Ｓ２７段階）。
【００５３】
図９（ｃ）は図７のＳ０１〜Ｓ０５及び図８のＳ３５〜Ｓ４１、Ｓ４７におけるディスプレイ２７の表示画面の一例を示す。消灯しているディスプレイ２７に対して、Ｓ０１段階で入力部２６のいずれかのキーに対して押し圧操作することにより、「ランダム配列」をディスプレイ２７に表示して（Ｓ０３段階）。既に設定されている暗証番号が入力されることを待つ（Ｓ３５段階）。ユーザにより４桁の数字列（例えば７９６４）が入力され、既に設定されている暗証番号と一致すると（Ｓ３７でＹＥＳ）、電子錠２８を解錠してディスプレイ２７に「通常配列」を表示する（Ｓ３９段階）。その後、扉５の開を検知したとき（Ｓ４１でＹＥＳ）、ディスプレイ２７を消灯して、ディスプレイ２７に表示されていた数字の配置を消去する（Ｓ４７段階）。
【００５４】
図１０を参照して、図７のＳ０３段階及びＳ１１段階において配置変更部３１が（１）〜（６）の規則に従って「ランダム配列」を生成してディスプレイ２７に表示される数字の配置を変更する手順を説明する。図７及び図８の処理動作をコンピュータプログラムとして構成した場合、図１０のフローチャートは、図７のＳ０３段階及びＳ１１段階において実施されるサブルーチンに相当する。
【００５５】
（１）Ｓ１０１段階において、図４（ｆ）の起点数字カウンタ４１が計数する数字を読み込む。なお、（６）に示したように、起点数字カウンタ４１には、初期値として、ロッカー番号プレート１８に印字されたロッカー番号を構成する総ての数字を加算して得られる数の１の位の数字を設定すればよい。
【００５６】
（２）Ｓ１０３段階において、図４（ｆ）の操作回数カウンタ４２が計数する回数を読み込む。なお、操作回数カウンタ４２には、初期値として０を設定すればよい。また、Ｓ１０３段階とＳ１０１段階の実施順序は入れ替えても構わない。
【００５７】
（３）その後、Ｓ１０５段階に進み、操作回数カウンタ４２が計数する回数が奇数であるか否かを判断する。回数が奇数である場合（Ｓ１０５でＹＥＳ）、Ｓ１０７段階に進み、回数が偶数である場合（Ｓ１０５でＮＯ）、Ｓ１０９段階に進む。
【００５８】
（４）Ｓ１０７段階において、ランダム生成部４３は、起点数字カウンタ４１が計数する数字を起点となるキーＫ１に割り当て、図４（ｂ）及び図４（ｄ）に示すように、０〜９の数字を番号順に右方向、そして下方向に配列する。一方、Ｓ１０９段階において、ランダム生成部４３は、起点数字カウンタ４１が計数する数字を起点となるキーＫ１に割り当て、図４（ｃ）及び図４（ｅ）に示すように、０〜９の数字を番号順に下方向、そして右方向に配列する。なお、９の次には０を配列する。
【００５９】
（５）その後、Ｓ１１１段階に進み、起点数字カウンタ４１が計数する数字及び操作回数カウンタ４２が計数する回数を、それぞれ＋１ずつインクリメントする。なお、起点数字カウンタ４１が計数する数字については、９の次を０とする。
【００６０】
以上説明したように、本発明の実施の形態によれば、以下の作用効果が得られる。
【００６１】
配置変更部３１は数字の配置を変更する上で起点となるキーＫ１の位置を一定とすることにより、ユーザは数字の配置を変更する上で定められている規則性を発見し易くなる。そして、配置変更部３１は起点となるキーＫ１に割り当てられる数字を順番に変化させることにより、ユーザによる暗証番号の入力操作時における数字の配列を他人が予測し難くなる。よって、本発明の実施の形態に関わる電子錠装置及びロッカー装置によれば、暗証番号の入力操作に起因した暗証番号の第三者への漏洩を抑制し、且つユーザが入力すべき所望の数字を見つけ出し易くすることができる。
【００６２】
操作回数カウンタ４２が計数する回数に応じて、０〜９の数字を右側そして下側へ配列するか、又は０〜９の数字を下側そして右側へ配列するかのいずれか一方を選択する。これにより、所定の入力操作の回数に応じて配列方向が変化するので、更に、ユーザによる暗証番号の入力操作時における数字の配列を他人が予測し難くなる。
【００６３】
本発明の実施の形態では、本発明における「文字」の一例として０〜９の「数字」を採用した。すなわち、ディスプレイ２７に表示される文字には０〜９の数字が含まれ、暗証文字は０〜９の数字から任意に選択された暗証番号である。そして、配置変更部３１は、ディスプレイ２７に表示される０〜９の配置を変更する。このように、０〜９の数字で構成される暗証番号の入力操作においても、暗証番号の入力操作に起因した暗証番号の第三者への漏洩を抑制し、且つユーザが入力すべき所望の数字を見つけ出し易くすることができる。
【００６４】
更に、本発明の実施の形態において、ディスプレイ２７に表示される文字には、入力された数字の消去を示す文字（入力値消去ボタン）、電子錠２８の施錠を示す文字（施錠ボタン）が更に含まれ、配置変更部３１は、０〜９の配置のみを変更し、入力値消去ボタン及び施錠ボタンの配置を変更しない。すなわち、配置変更部３１は、数字の配置のみを変更する第４の規則に従って、ディスプレイ２７に表示される文字の配置を変更する。これにより、ユーザが入力すべき入力値消去ボタン及び施錠ボタンを見つけ出し易くすることができる。
（その他の実施の形態）
上記のように、本発明は、１つの実施形態によって記載したが、この開示の一部をなす論述及び図面はこの発明を限定するものであると理解すべきではない。この開示から当業者には様々な代替実施の形態、実施例及び運用技術が明らかとなろう。
【００６５】
本発明の実施の形態では、本発明における「文字」の一例として０〜９の「数字」を採用した。しかし、本発明における「文字」には、０〜９以外の複数の数字、記号、アルファベット、ひらがな、カタカナなど、ユーザ本人を認証する際の本人に固有の情報（パスワード）を構成し得る総ての文字が含まれる。
【００６６】
本人認証部３４がユーザ本人を認証した後に、暗証番号の入力時にディスプレイ２７に表示されていた「ランダム配列」から「通常配列」へ変更する場合について説明したが、本発明はこれに限定されない。例えば、（１）〜（６）に示した規則に従って、暗証番号の入力時にディスプレイ２７に表示されていた「ランダム配列」から他の「ランダム配列」に変更しても良いし、或いは、変更後の数字の配置を、ディスプレイ２７に表示される数字を総て同じ数字、例えば、数字の「１」を１０個配置されたものにしても構わない。
【００６７】
図７のＳ１１段階と図８のＳ３９段階は、共に、本人認証に成功した場合の解錠処理及び数字の配置を変更する処理を示している点で共通しているが、前者の場合、発券機１２により指定された解錠番号による本人認証であり、入力操作時に表示されていた「ランダム配列」とは異なる他の「ランダム配列」へ数字の配置を変更するのに対して、後者の場合、ユーザ本人が任意に設定した暗証番号による本人認証であり、「ランダム配列」から「通常配列」へ変更する点で異なる。このように、解錠番号と暗証番号により認証成功した後の処理に違いを設けることで、ユーザは自らが行った処理内容を容易に識別することができるので、ユーザにとって操作性が高い装置となる。なお、勿論、ユーザに対して本人認証に成功して電子錠２８が解錠されたことを視覚的に報知するという作用効果を高める為に、Ｓ１１段階においても、Ｓ３９段階と同様にして、「ランダム配列」から「通常配列」へ変更する処理を行っても構わない。
【００６８】
配置変更部３１は、ディスプレイ２７に表示される０〜９の配置のみを変更する場合に限らず、ディスプレイ２７に表示される入力値消去ボタン（Ｃ）や施錠ボタン（Ｌ）の配置を０〜９の配置と共に変更しても構わない。これにより、更に、ユーザによる暗証番号の入力操作時における数字の配列を他人が予測し難くなる。
【００６９】
本発明の実施の形態では、入力部２６を透明スイッチパネルとしてディスプレイ２７の表示面に重ね合わせることにより、各キーＫ１〜Ｋ１２と数字及びアルファベットとの対応関係をユーザに対して示したが、本発明はこれに限定されない。例えば、入力部２６をディスプレイ２７の表示面に重ね合わせることなく、入力部２６とディスプレイ２７を別々に扉に並べて配置し、各キーＫ１〜Ｋ１２と数字及びアルファベットとの対応関係をユーザに対して示しても構わない。
【００７０】
また、入力部２６及びディスプレイ２７が扉５に設けられていなくても構わない。例えば、図１に示す隣接する複数の扉の間に隙間を設けて、その隙間に入力部２６及びディスプレイ２７を設けても構わない。
【００７１】
このように、本発明はここでは記載していない様々な実施の形態等を包含するということを理解すべきである。したがって、本発明はこの開示から妥当な特許請求の範囲に係る発明特定事項によってのみ限定されるものである。
【図面の簡単な説明】
【００７２】
【図１】本発明の実施の形態に係わるロッカー装置を有するロッカーシステムの構成を示す概略図である。
【図２】図１のロッカー装置ＬＵ７の詳細な構成を示すブロック図である。
【図３】図３（ａ）は、図２のタッチパネル１５の構成例を示す斜視図であり、図３（ｂ）は、図３（ａ）のディスプレイ２７と入力部２６とを重ね合わせた状態のタッチパネル１５のパネル面を示す正面図である。
【図４】図４（ａ）は、ディスプレイ２７に表示される数字の配置を変更する際の規則の一例を説明するための模式図であり、図４（ｂ）〜図４（ｅ）は、図４（ａ）に示す規則に従って変更される数字の配置の一例を示す模式図であり、図４（ｆ）は、図２の配置変更部３１の詳細な構成を示すブロック図である。
【図５】発券機１２が発券する利用券に記載されている事項の一例を示す模式図である。
【図６】図６（ａ）は、ユーザ本人を認証するための入力操作が可能なロッカー装置ＬＵ７の状態を示す斜視図であり、図６（ｂ）は、ユーザ本人の認証に成功し、電子錠２８の解錠後に扉５が開かれたロッカー装置ＬＵ７の状態を示す斜視図である。
【図７】図１に示したロッカー装置の制御方法の一例を示すフローチャートである（その１）。
【図８】図１に示したロッカー装置の制御方法の一例を示すフローチャートである（その２）。
【図９】図９（ａ）は図７のＳ０１〜Ｓ１１におけるディスプレイ２７の表示画面の一例を示す平面図であり、図９（ｂ）は図７のＳ２１〜Ｓ２７におけるディスプレイ２７の表示画面の一例を示す平面図であり、図９（ｃ）は図７のＳ０１〜Ｓ０５及び図８のＳ３５〜Ｓ４１、Ｓ４７におけるディスプレイ２７の表示画面の一例を示す平面図である。
【図１０】図７のＳ０３段階及びＳ１１段階において配置変更部３１が「ランダム配列」を生成してディスプレイ２７に表示される数字の配置を変更する手順を示すフローチャートである。
【符号の説明】
【００７３】
３      電子錠装置
５      扉
１１    制御ＰＣ
１２    発券機
１５    タッチパネル
１６    取手
１７    キー挿入口
１８    ロッカー番号プレート
２１    通信部
２２    制御部
２３    記憶部
２４    錠ユニット
２６    入力部
２７    ディスプレイ
２８    電子錠
２９    開閉検知部
３１    配置変更部
３２    解読部
３３    施解錠指令部（解錠指示部）
３４    本人認証部
３５    表示消去部
３８    解錠番号記憶部
３９    暗証番号記憶部
４１    起点数字カウンタ
４２    操作回数カウンタ
４３    ランダム生成部
Ｋ１〜Ｋ１２    キー
ＬＵ１、ＬＵ２、ＬＵ３、・・・  ロッカー装置
【図１】
2010126913.tif 000003
【図２】
2010126913.tif 000004
【図３】
2010126913.tif 000005
【図４】
2010126913.tif 000006
【図５】
2010126913.tif 000007
【図６】
2010126913.tif 000008
【図７】
2010126913.tif 000009
【図８】
2010126913.tif 000010
【図９】
2010126913.tif 000011
【図１０】
2010126913.tif 000012